【手続補正書】
【提出日】平成15年11月19日(2003.11.19)
【手続補正１】
【補正対象書類名】明細書
【補正対象項目名】特許請求の範囲
【補正方法】変更
【補正の内容】
【特許請求の範囲】
【請求項１】
プロセスカートリッジを着脱可能で記録媒体に画像を形成する電子写真画像形成装置において、
ａ．電子写真感光体ドラムと、
ｂ．前記電子写真感光体ドラムに作用するプロセス手段と、
前記電子写真感光体ドラムを支持するドラム支持軸に固定され、装置本体側の軸継手部材と係脱可能な軸継手部材と、
を有するプロセスカートリッジを取り外し可能に装着する装着手段と、
ｃ．前記プロセスカートリッジに備える軸継手部材と係脱可能な軸継手部材と、ｄ．前記装置本体側の軸継手部材の駆動手段と、
ｅ．前記記録媒体を搬送するための搬送手段と、
を有し、
前記画像形成装置本体に備える軸継手部材は、
回転中心を中心とする円筒状突起と、前記突起の周囲に配設され前記円筒状突起と同方向へ突出し、先端が回転方向へリードを持つ斜面を有する回転力伝達又は受け用突起と、を有する一方の軸継手部材と、
前記円筒状突起と嵌合して中心を一致させる穴と、前記穴の周囲に配設され前記回転力伝達又は受け用突起と嵌合して、回転力伝達又は受け用突起の斜面と接触する斜面を有する穴と、を有する他方の軸継手部材と、
の何れかの軸継手部材であることを特徴とする電子写真画像形成装置。
【請求項２】
前記装置本体側の軸継手部材は回転軸に固定され、この回転軸は軸方向移動自在に支持され、この回転軸を軸方向に移動させるための移動手段を有することを特徴とする請求項１に記載の電子写真画像形成装置。
【請求項３】
前記回転軸を軸方向に移動させるための移動手段は、前記回転軸上において装置本体側の背部側に設けられ、装置本体側の軸継手部材をプロセスカートリッジ側の軸継手部材へ向って移動してプロセスカートリッジ側の軸継手部材と係合させる圧縮ばねと、前記圧縮ばねのばね力に抗して前記回転軸を後退させる端面カム対であることを特徴とする請求項２に記載の電子写真画像形成装置。
【請求項４】
回転中心を中心とする円筒状突起を備えた装置本体側軸継手部材を有し、該円筒状突起はこの軸継手部材を固定した回転軸を軸方向へ突出させたことを特徴とする請求項１又は２もしくは３に記載の電子写真画像形成装置。
【請求項５】
前記円筒状突起がプロセスカートリッジ側軸継手部材の中心の穴と嵌合した後に、前記円筒状突起の周囲に配された突起がプロセスカートリッジ側の中心の穴の周囲に配された穴と嵌合することを特徴とする請求項４に記載の電子写真画像形成装置。
【請求項６】
プロセスカートリッジを着脱可能で記録媒体に画像を形成する電子写真画像形成装置において、
ａ．電子写真感光体ドラムと、
ｂ．前記電子写真感光体ドラムに作用するプロセス手段と、
前記電子写真感光体ドラムを支持するドラム支持軸に固定され、装置本体側の軸継手部材と係脱可能な軸継手部材と、
を有するプロセスカートリッジを取り外し可能に装着する装着手段と、
ｃ．前記プロセスカートリッジに備える軸継手部材と係脱可能な軸継手部材と、ｄ．前記装置本体側の軸継手部材の駆動手段と、
ｅ．前記記録媒体を搬送するための搬送手段と、
を有し、
前記画像形成装置本体に備える軸継手部材は、
回転中心を中心とする円上に配され軸方向へ突出し、先端が回転方向へリードを持つ斜面と、回転中心を中心とする円筒上の外周側円弧面または内周側円弧面と、を有する複数の突起を有する一方の軸継手部材と、
前記回転力伝達又は受け用突起と嵌合して、突起の斜面と接触する斜面と、前記外周側円弧面と嵌合する外周側円弧形内面または前記内周側円弧面と嵌合する内周側円弧形内面と、を有する穴と、を有する他方の軸継手部材と、
の何れかの軸継手部材であることを特徴とする電子写真画像形成装置。
【請求項７】
プロセスカートリッジを着脱可能で記録媒体に画像を形成する電子写真画像形成装置において、
ａ．電子写真感光体ドラムと、
前記電子写真感光体ドラムに作用するプロセス手段と、
前記電子写真感光体ドラムを支持するドラム支持軸に固定され、装置本体側の軸継手部材と係脱可能な軸継手部材と、
を有するプロセスカートリッジを取り外し可能に装着する装着手段と、
ｃ．前記プロセスカートリッジに備える軸継手部材と係脱可能な軸継手部材と、ｄ．前記装置本体側の軸継手部材の駆動手段と、
ｅ．前記記録媒体を搬送するための搬送手段と、
を有し、
前記画像形成装置本体に備える軸継手部材は、
回転中心を中心とする円筒状外周と、前記外周の中心側の円上に配設され軸方向へ突出し、先端が回転方向へリードを持つ斜面を有する回転力伝達又は受け用突起と、を有する一方の軸継手部材と、
前記外周と嵌合して中心を一致させる穴と、前記穴の中心側の円上に配設され前記回転力伝達又は受け用突起と嵌合して、回転力伝達又は受け用突起の斜面と接触する斜面を有する穴と、を有する他方の軸継手部材と、
の何れかの軸継手部材であることを特徴とする電子写真画像形成装置。
【請求項８】
プロセスカートリッジの電子写真感光体ドラムと同軸に備えるドラム側軸継手部材と、ドラム側軸継手部材と係脱可能に設けられた画像形成装置本体側軸継手部材と、を有する軸継手において、
回転中心を中心とする円筒状嵌合部と、前記嵌合部と同心の円上に配設され他方の軸継手部材へ軸方向に突出し、先端が回転方向に対して傾斜した斜面を有する回転力伝達又は受け用突起と、を有する一方の軸継手部材と、
前記円筒状嵌合部と嵌合して中心一致させる円筒状嵌合部と、この円筒状嵌合部と同心の円上に配設され前記回転力伝達又は受け用突起と嵌合して、回転力伝達又は受け用突起の斜面と接触する斜面と、を有する他方の軸継手部材と、を有し、前記各円筒状嵌合部を嵌め合い部として軸方向に互に近ずけて嵌合することにより軸心を一致させ回転力伝達又は受け用突起の斜面と相手斜面を回転力により加圧してその軸方向分力により、各々の軸継手部材を互に引き寄せることを特徴とする軸継手。
【請求項９】
前記各軸継手部材の円筒状嵌合部は回転中心側にあり、前記突起は及びこの突起の斜面と接する斜面は夫々円筒状嵌合部の周囲に配設されていることを特徴とする請求項８に記載の軸継手。
【請求項１０】
前記各軸継手部材の円筒状嵌合部は、前記突起及びこの突起の斜面と接する斜面の周囲に夫々配設されていることを特徴とする請求項８に記載の軸継手。
【請求項１１】
前記一方の軸継手部材の円筒状嵌合部は前記突起と同方向の軸方向へ突出していることを特徴とする請求項８又は９に記載の軸継手。
【請求項１２】
前記一方の軸継手部材の円筒状嵌合部はその外周を嵌め合い部としていることを特徴とする請求項８又は９もしくは１１に記載の軸継手。
【請求項１３】
前記一方の軸継手部材の円筒状嵌合部は内周を嵌め合い部としていることを特徴とする請求項１０に記載の軸継手。
【請求項１４】
前記一方の軸継手部材の円筒状嵌合部と回転力伝達又は受け用突起は軸方向において夫々の先端がほ同一位置にあることを特徴する請求項８又は９もしくは１１から１３の何れか１つに記載の軸継手。
【請求項１５】
前記一方の軸継手部材の突起と嵌合する穴を他方の軸継手部材が有し、前記突起の嵌合する穴は回転中心を中心とする円筒面を有すると共に、突起に回転中心を中心とし前記円筒面と嵌合する円筒面を設け前記円筒面を夫々の軸継手部材の円筒形嵌合部としたことを特徴とする請求項８に記載の軸継手。
【請求項１６】
前記円筒面は前記穴の外周側に設けられた円筒内面と前記突起の外周側に設けられた円筒外面であることを特徴とする請求項１５に記載の軸継手。
【請求項１７】
前記円筒面は前記穴の内周側に設けられた円筒外面と前記突起の内周側に設けられた円筒内面であることを特徴とする請求項１５に記載の軸継手。
【請求項１８】
前記一方の軸継手部材を駆動側とし、前記突起の斜面は回転方向へリードを有するように傾斜していることを特徴とする請求項８に記載の軸継手。
【請求項１９】
前記他方の軸継手部材を駆動側とし、前記他方の軸継手部材の斜面は前記一方の軸継手部材に近い側が回転方向へリードを有するように傾斜していることを特徴とする請求項８に記載の軸継手。
【請求項２０】
画像形成装置本体に着脱可能なプロセスカートリッジにおいて、
電子写真感光体ドラムと、
前記電子写真感光体ドラムに作用するプロセス手段と、
前記電子写真感光体ドラムを支持するドラム支持軸に固定され、画像形成装置本体側の軸継手部材と係脱可能な軸継手部材と、を有し、前記プロセスカートリッジに備える軸継手部材は、
回転中心を中心とする円筒状突起と、前記突起の周囲に配設され前記円筒状突起と同方向へ突出し、先端が回転方向へリードを持つ斜面を有する回転力伝達又は受け用突起と、を有する一方の軸継手部材と、
前記円筒状突起と嵌合して中心を一致させる穴と、
前記穴の周囲に配設され前記回転力伝達又は受け用突起と嵌合して、回転力伝達又は受け用突起の斜面と接触する斜面を有する穴と、を有する他方の軸継手部材と、
の何れかの軸継手部材であることを特徴とするプロセスカートリッジ。
【請求項２１】
電子写真画像形成装置に用いられるトナー像支持部材において、
ここで電子写真画像形成装置には、回転中心に設けられた円筒状突起と、
前記突起の周囲に間隔をあけて設けられた、前記突起と同方向へ突出し、回転方向に対して鋭角な斜面を有する突出部とを有する駆動力伝達部材を有する、
（ａ）周面にトナー像を支持するトナー像支持部材と、
（ｂ）前記トナー像支持部材を回転するための駆動力を受けるための駆動力受け部材と、ここで駆動力受け部材は以下を有する、
回転中心に設けられた凹部であって、前記円筒状突起と嵌合する凹部と、
前記凹部の周囲に間隔をあけて設けられた、装置本体に設けられた前記斜面と接触する面と、
を有することを特徴とするトナー像支持部材。
【請求項２２】
電子写真画像形成装置に用いられるトナー像支持部材において、ここで電子写真画像形成装置には、凹部と、前記凹部の周囲に間隔をあけて設けられた複数個の回転方向に対して鋭角な斜面を有する突出部とが設けられている駆動力伝達部材を有する、
（ａ）周面にトナー像を支持するトナー像支持部材と、
（ｂ）前記トナー像支持部材を回転するための駆動力を受けるための駆動力受け部材と、ここで駆動力受け部材は以下を有する、
回転中心に設けられた円筒状突起であって、前記凹部と嵌合する突起と、
前記突起の周囲に間隔をあけて設けられた、装置本体に設けられた前記斜面と接触する面と、
を有することを特徴とするトナー像支持部材。
【請求項２３】
電子写真画像形成装置に用いられるトナー像支持部材において、ここで電子写真画像形成装置には、回転中心に設けられた円筒状突起と、  前記円筒状突起の周囲に間隔をあけて設けられた複数個の面とが設けられている、駆動力伝達部材を有する、
（ａ）周面にトナー像を支持するトナー像支持部材と、
（ｂ）前記トナー像支持部材を回転するための駆動力を受けるための駆動力受け部材と、ここで駆動力受け部材は以下を有する、
回転中心に設けられた凹部であって、前記円筒状突起と嵌合する凹部と、
前記凹部の周囲に間隔をあけて設けられた、回転方向に対して鋭角な斜面を有する突出部であって、前記斜面が装置本体に設けられた前記面と接触する突出部と、を有することを特徴とするトナー像支持部材。
【請求項２４】
電子写真画像形成装置に用いられるトナー像支持部材において、ここで電子写真画像形成装置には、凹部と、前記凹部の周囲に間隔をあけて設けられた複数個の面とが設けられている駆動力伝達部材を有する、
（ａ）周面にトナー像を支持するトナー像支持部材と、
（ｂ）前記トナー像支持部材を回転するための駆動力を受けるための駆動力受け部材と、ここで駆動力受け部材は以下を有する、
回転中心に設けられた円筒状突起であって、前記凹部と嵌合する突起と、
前記突起の周囲に間隔をあけて設けられた、前記突起と同方向へ突出し、回転方向に対して鋭角な斜面を有する突出部であって、前記斜面が装置本体に設けられた前記面と接触する突出部と、を有することを特徴とするトナー像支持部材。
【請求項２５】
電子写真画像形成装置に用いられる駆動力受け部材において、
基体と、
前記基体の回転中心に設けられた凹部であって、円筒状突起と嵌合するための位置決め凹部と、
前記基体の、前記位置決め凹部の周囲に間隔をあけて設けられた面であって、  前記突起の周囲に間隔をあけて設けられた、前記突起と同方向へ突出し、回転方向に対して鋭角な斜面を有する突出部と接触する面と、
を有することを特徴とする駆動力受け部材。
【手続補正２】
【補正対象書類名】明細書
【補正対象項目名】００１７
【補正方法】削除
【補正の内容】
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】変更
【補正の内容】
【００１９】
本出願に係る第８の発明はプロセスカートリッジの電子写真感光体ドラムと同軸に備えるドラム側軸継手部材と、ドラム側軸継手部材と係脱可能に設けられた画像形成装置本体側軸継手部材と、を有する軸継手において、回転中心を中心とする円筒状嵌合部と、前記嵌合部と同心の円上に配設され他方の軸継手部材へ軸方向に突出し、先端が回転方向に対して傾斜した斜面を有する回転力伝達又は受け用突起と、を有する一方の軸継手部材と、前記円筒状嵌合部と嵌合して中心一致させる円筒状嵌合部と、この円筒状嵌合部と同心の円上に配設され前記回転力伝達又は受け用突起と嵌合して、回転力伝達又は受け用突起の斜面と接触する斜面と、を有する他方の軸継手部材と、を有し、前記各円筒状嵌合部を嵌め合い部として軸方向に互に近ずけて嵌合することにより軸心を一致させ回転力伝達又は受け用突起の斜面と相手斜面を回転力により加圧してその軸方向分力により、各々の軸継手部材を互に引き寄せることを特徴とする軸継手である。


【手続補正５】
【補正対象書類名】明細書
【補正対象項目名】００２０
【補正方法】変更
【補正の内容】
【００２０】
本出願に係る第９の発明は前記各軸継手部材の円筒状嵌合部は回転中心側にあり、前記突起は及びこの突起の斜面と接する斜面は夫々円筒状嵌合部の周囲に配設されていることを特徴とする第８の発明に記載の軸継手である。


【手続補正６】
【補正対象書類名】明細書
【補正対象項目名】００２１
【補正方法】変更
【補正の内容】
【００２１】
本出願に係る第１０の発明は前記各軸継手部材の円筒状嵌合部は、前記突起及びこの突起の斜面と接する斜面の周囲に夫々配設されていることを特徴とする第８の発明に記載の軸継手である。


【手続補正７】
【補正対象書類名】明細書
【補正対象項目名】００２２
【補正方法】変更
【補正の内容】
【００２２】
本出願に係る第１１の発明は前記一方の軸継手部材の円筒状嵌合部は前記突起と同方向の軸方向へ突出していることを特徴とする第８又は第９の発明に記載の軸継手である。


【手続補正８】
【補正対象書類名】明細書
【補正対象項目名】００２３
【補正方法】変更
【補正の内容】
【００２３】
本出願に係る第１２の発明は前記一方の軸継手部材の円筒状嵌合部はその外周を嵌め合い部としていることを特徴とする第８又は第９もしくは第１１の発明に記載の軸継手である。


【手続補正９】
【補正対象書類名】明細書
【補正対象項目名】００２４
【補正方法】変更
【補正の内容】
【００２４】
本出願に係る第１３の発明は前記一方の軸継手部材の円筒状嵌合部は内周を嵌め合い部としていることを特徴とする第１０の発明に記載の軸継手である。


【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】変更
【補正の内容】
【００２６】
本出願に係る第１４の発明は前記一方の軸継手部材の円筒状嵌合部と回転力伝達又は受け用突起は軸方向において夫々の先端がほ同一位置にあることを特徴する第８又は第９もしくは第１１から第１３の何れか１つに記載の軸継手である。


【手続補正１２】
【補正対象書類名】明細書
【補正対象項目名】００２７
【補正方法】削除
【補正の内容】
【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】削除
【補正の内容】
【手続補正１５】
【補正対象書類名】明細書
【補正対象項目名】００３０
【補正方法】変更
【補正の内容】
【００３０】
本出願に係る第１５の発明は前記一方の軸継手部材の突起と嵌合する穴を他方の軸継手部材が有し、前記突起の嵌合する穴は回転中心を中心とする円筒面を有すると共に、突起に回転中心を中心とし前記円筒面と嵌合する円筒面を設け前記円筒面を夫々の軸継手部材の円筒形嵌合部としたことを特徴とする第８の発明に記載の軸継手である。


【手続補正１６】
【補正対象書類名】明細書
【補正対象項目名】００３１
【補正方法】変更
【補正の内容】
【００３１】
本出願に係る第１６の発明は前記円筒面は前記穴の外周側に設けられた円筒内面と前記突起の外周側に設けられた円筒外面であることを特徴とする第１５の発明に記載の軸継手である。


【手続補正１７】
【補正対象書類名】明細書
【補正対象項目名】００３２
【補正方法】変更
【補正の内容】
【００３２】
本出願に係る第１７の発明は前記円筒面は前記穴の内周側に設けられた円筒外面と前記突起の内周側に設けられた円筒内面であることを特徴とする第１５の発明に記載の軸継手である。


【手続補正１８】
【補正対象書類名】明細書
【補正対象項目名】００３３
【補正方法】変更
【補正の内容】
【００３３】
本出願に係る第１８の発明は前記一方の軸継手部材を駆動側とし、前記突起の斜面は回転方向へリードを有するように傾斜していることを特徴とする第８の発明に記載の軸継手である。


【手続補正１９】
【補正対象書類名】明細書
【補正対象項目名】００３４
【補正方法】変更
【補正の内容】
【００３４】
本出願に係る第１９の発明は前記他方の軸継手部材を駆動側とし、前記他方の軸継手部材の斜面は前記一方の軸継手部材に近い側が回転方向へリードを有するように傾斜していることを特徴とする第８の発明に記載の軸継手である。


【手続補正２０】
【補正対象書類名】明細書
【補正対象項目名】００３５
【補正方法】変更
【補正の内容】
【００３５】
本出願に係る第２０の発明は画像形成装置本体に着脱可能なプロセスカートリッジにおいて、電子写真感光体ドラムと、前記電子写真感光体ドラムに作用するプロセス手段と、前記電子写真感光体ドラムを支持するドラム支持軸に固定され、画像形成装置本体側の軸継手部材と係脱可能な軸継手部材と、を有し、前記プロセスカートリッジに備える軸継手部材は、回転中心を中心とする円筒状突起と、前記突起の周囲に配設され前記円筒状突起と同方向へ突出し、先端が回転方向へリードを持つ斜面を有する回転力伝達又は受け用突起と、を有する一方の軸継手部材と、前記円筒状突起と嵌合して中心を一致させる穴と、前記穴の周囲に配設され前記回転力伝達又は受け用突起と嵌合して、回転力伝達又は受け用突起の斜面と接触する斜面を有する穴と、を有する他方の軸継手部材と、の何れかの軸継手部材であることを特徴とするプロセスカートリッジである。


【手続補正２１】
【補正対象書類名】明細書
【補正対象項目名】００３６
【補正方法】変更
【補正の内容】
【００３６】
本出願に係る第２１の発明は電子写真画像形成装置に用いられるトナー像支持部材において、
ここで電子写真画像形成装置には、回転中心に設けられた円筒状突起と、
前記突起の周囲に間隔をあけて設けられた、前記突起と同方向へ突出し、回転方向に対して鋭角な斜面を有する突出部とを有する駆動力伝達部材を有する、
（ａ）周面にトナー像を支持するトナー像支持部材と、
（ｂ）前記トナー像支持部材を回転するための駆動力を受けるための駆動力受け部材と、ここで駆動力受け部材は以下を有する、
回転中心に設けられた凹部であって、前記円筒状突起と嵌合する凹部と、
前記凹部の周囲に間隔をあけて設けられた、装置本体に設けられた前記斜面と接触する面と、
を有することを特徴とするトナー像支持部材である。


【手続補正２２】
【補正対象書類名】明細書
【補正対象項目名】００３７
【補正方法】変更
【補正の内容】
【００３７】
本出願に係る第２２の発明は電子写真画像形成装置に用いられるトナー像支持部材において、ここで電子写真画像形成装置には、凹部と、前記凹部の周囲に間隔をあけて設けられた複数個の回転方向に対して鋭角な斜面を有する突出部とが設けられている駆動力伝達部材を有する、
（ａ）周面にトナー像を支持するトナー像支持部材と、
（ｂ）前記トナー像支持部材を回転するための駆動力を受けるための駆動力受け部材と、ここで駆動力受け部材は以下を有する、
回転中心に設けられた円筒状突起であって、前記凹部と嵌合する突起と、
前記突起の周囲に間隔をあけて設けられた、装置本体に設けられた前記斜面と接触する面と、
を有することを特徴とするトナー像支持部材である。


【手続補正２３】
【補正対象書類名】明細書
【補正対象項目名】００３８
【補正方法】変更
【補正の内容】
【００３８】
本出願に係る第２３の発明は電子写真画像形成装置に用いられるトナー像支持部材において、ここで電子写真画像形成装置には、回転中心に設けられた円筒状突起と、
前記円筒状突起の周囲に間隔をあけて設けられた複数個の面とが設けられている、駆動力伝達部材を有する、
（ａ）周面にトナー像を支持するトナー像支持部材と、
（ｂ）前記トナー像支持部材を回転するための駆動力を受けるための駆動力受け部材と、ここで駆動力受け部材は以下を有する、
回転中心に設けられた凹部であって、前記円筒状突起と嵌合する凹部と、
前記凹部の周囲に間隔をあけて設けられた、回転方向に対して鋭角な斜面を有する突出部であって、前記斜面が装置本体に設けられた前記面と接触する突出部と、を有することを特徴とするトナー像支持部材である。


【手続補正２４】
【補正対象書類名】明細書
【補正対象項目名】００３９
【補正方法】変更
【補正の内容】
【００３９】
本出願に係る第２４の発明は電子写真画像形成装置に用いられるトナー像支持部材において、ここで電子写真画像形成装置には、凹部と、前記凹部の周囲に間隔をあけて設けられた複数個の面とが設けられている駆動力伝達部材を有する、（ａ）周面にトナー像を支持するトナー像支持部材と、
（ｂ）前記トナー像支持部材を回転するための駆動力を受けるための駆動力受け部材と、ここで駆動力受け部材は以下を有する、
回転中心に設けられた円筒状突起であって、前記凹部と嵌合する突起と、
前記突起の周囲に間隔をあけて設けられた、前記突起と同方向へ突出し、回転方向に対して鋭角な斜面を有する突出部であって、前記斜面が装置本体に設けられた前記面と接触する突出部と、を有することを特徴とするトナー像支持部材である。


【手続補正２５】
【補正対象書類名】明細書
【補正対象項目名】００４０
【補正方法】削除
【補正の内容】
【手続補正２６】
【補正対象書類名】明細書
【補正対象項目名】００４１
【補正方法】削除
【補正の内容】
【手続補正２７】
【補正対象書類名】明細書
【補正対象項目名】００４２
【補正方法】削除
【補正の内容】
【手続補正２８】
【補正対象書類名】明細書
【補正対象項目名】００４３
【補正方法】削除
【補正の内容】
【手続補正２９】
【補正対象書類名】明細書
【補正対象項目名】００４４
【補正方法】変更
【補正の内容】
【００４４】
本出願に係る第２５の発明は電子写真画像形成装置に用いられる駆動力受け部材において、
基体と、
前記基体の回転中心に設けられた凹部であって、円筒状突起と嵌合するための位置決め凹部と、
前記基体の、前記位置決め凹部の周囲に間隔をあけて設けられた面であって、  前記突起の周囲に間隔をあけて設けられた、前記突起と同方向へ突出し、回転方向に対して鋭角な斜面を有する突出部と接触する面と、
を有することを特徴とする駆動力受け部材である。


【手続補正３０】
【補正対象書類名】明細書
【補正対象項目名】００４５
【補正方法】削除
【補正の内容】
【手続補正３１】
【補正対象書類名】明細書
【補正対象項目名】００４６
【補正方法】削除
【補正の内容】
【手続補正３２】
【補正対象書類名】明細書
【補正対象項目名】００４７
【補正方法】削除
【補正の内容】
【手続補正３３】
【補正対象書類名】明細書
【補正対象項目名】００４８
【補正方法】削除
【補正の内容】